(57)【特許請求の範囲】
【請求項１】
ユニット本体に複数の結合手段を介して組み付けられているフロントカバーに、電装品が装備され、該電装品が中継ハーネスを介してユニット本体側のコントローラと電気的に接続されている空気調和機において、
前記フロントカバーに、前記結合手段の１つ近くで前記中継ハーネスの接続部を覆うハーネスカバーが第２結合手段を介して固定設置され、該ハーネスカバーを介して前記フロントカバーの前記結合手段の１つが隠蔽されていることを特徴とする空気調和機。
【請求項２】
前記結合手段は、その一部が前記ハーネスカバーから露出されていることを特徴とする請求項１に記載の空気調和機。
【請求項３】
前記結合手段および前記第２結合手段は、共にネジとされていることを特徴とする請求項１または２に記載の空気調和機。
【請求項４】
前記結合手段のネジは、該ネジを回す工具が入らない程度にその一部が前記ハーネスカバーから露出されていることを特徴とする請求項３に記載の空気調和機。
【発明の詳細な説明】
【技術分野】
【０００１】
本発明は、ユニット本体の前面を被うフロントカバーに電装品が組み込まれている空気調和機に関するものである。
【背景技術】
【０００２】
近年の空気調和機には、様々な補助機構や補助機能が組み込まれている。例えば、エアフィルタによって捕集された塵埃を自動的に除去するフィルタ自動清掃機構や、運転時における電力消費量や省エネ度等を表示する運転状態表示機構等がその代表例である。フィルタ自動清掃機構は、エアフィルタの上流面側に捕集された塵埃を自動清掃するためのものであり、必然的に空気調和機のフロントカバーもしくはフロントパネル側に組み込まれることになる。また、運転状態表示機構は、ユーザーに運転状態を報知することを目的としているため、自ずとフロントカバーもしくはフロントパネルの見やすい位置に組み込まれる場合が多い。
【０００３】
フィルタ自動清掃機構としては、様々な方式が提供されているが、その方式やレイアウト等によっては、フロントカバーもしくはフロントパネルに駆動モータ等の電装品を組み込まなければならない場合がある。例えば、特許文献１には、吸込みグリルと一体をなすフレームの中央部位にフィルタ駆動用モータを設置したものが示されている。また、運転状態表示機構をフロントパネルに組み込む場合にも、フロントパネルに電装品が組み込まれることになる（例えば、特許文献２参照）。
【先行技術文献】
【特許文献】
【０００４】
【特許文献１】特開２０１０−６５８９４号公報
【特許文献２】特開２００４−８５０２２号公報
【発明の概要】
【発明が解決しようとする課題】
【０００５】
上記のように、フロントカバーもしくはフロントパネルに電装品を組み込んだ場合、組み立て時の作業性やメンテナンス性の面から、フロントカバーもしくはフロントパネルに組み込まれる電装品と、ユニット本体に組み込まれているコントローラとを中継ハーネスを介して接続する構成を採用することが望ましい。しかし、この場合、メンテナンス等のためにフロントカバーやフロントパネルを取り外すとき、中継ハーネスの接続部（コネクタ等）を外し忘れ、接続したままフロントカバーもしくはフロントパネルを取り外してしまうことがあり、中継ハーネスやその接続部を損傷することがある等の課題があった。
【０００６】
本発明は、このような事情に鑑みてなされたものであって、電装品が組み込まれているフロントカバーを取り外す際に、中継ハーネスの接続部の外し忘れによる中継ハーネスやその接続部の損傷を防止することができる空気調和機を提供することを目的とする。
【課題を解決するための手段】
【０００７】
上記した課題を解決するために、本発明の空気調和機は、以下の手段を採用する。
すなわち、本発明にかかる空気調和機は、ユニット本体に複数の結合手段を介して組み付けられているフロントカバーに、電装品が装備され、該電装品が中継ハーネスを介してユニット本体側のコントローラと電気的に接続されている空気調和機において、前記フロントカバーに、前記結合手段の１つ近くで前記中継ハーネスの接続部を覆うハーネスカバーが第２結合手段を介して固定設置され、該ハーネスカバーを介して前記フロントカバーの前記結合手段の１つが隠蔽されていることを特徴とする。
【０００８】
本発明によれば、フロントカバー側に装備されている電装品が、中継ハーネスを介してユニット本体側のコントローラと電気的に接続されている空気調和機において、フロントカバーに、複数の結合手段の１つ近くで中継ハーネスの接続部を覆うハーネスカバーが第２結合手段を介して固定設置され、該ハーネスカバーを介してフロントカバーの結合手段の１つが隠蔽されているため、メンテナンス等のためにフロントカバーをユニット本体から取り外すとき、直にフロントカバーの結合手段を取り外すことができず、先ず、第２結合手段を外してハーネスカバーを取り外し、それにより出現される中継ハーネスの接続部（コネクタ等）の取り外しを意識付けして該接続部を外した後、ハーネスカバーを取り外したことで出現されているフロントカバーの結合手段を外すことによって、フロントカバーを取り外すことができる。従って、中継ハーネスを接続したまま、フロントカバーを取り外してしまうことによる中継ハーネスやその接続部の損傷を防止することができ、しかもメンテナンス性を確保することができる。
【０００９】
さらに、本発明の空気調和機は、上記の空気調和機において、前記結合手段は、その一部が前記ハーネスカバーから露出されていることを特徴とする。
【００１０】
本発明によれば、結合手段の一部が、ハーネスカバーから露出されているため、フロントカバーの取り外しに先立って、第２結合手段を外してハーネスカバーを取り外す際、フロントカバーの結合手段の存在をその露出部により認識することができるので、該結合手段の存在を予め意識しながら、ハーネスカバー、中継ハーネスの接続部を順次外してからフロントカバーの結合手段を取り外すように誘導することができる。従って、中継ハーネスの接続部の外し忘れを防止することができるとともに、メンテナンス性を確保することができる。
【００１１】
さらに、本発明の空気調和機は、上述のいずれかの空気調和機において、前記結合手段および前記第２結合手段は、共にネジとされていることを特徴とする。
【００１２】
本発明によれば、結合手段および第２結合手段が、共にネジとされており、この２つの結合手段が同じネジであったとしても、フロントカバーの取り外しに際して、ハーネスカバー用の第２結合手段としてのネジを取り外さない限り、フロントカバー用の結合手段であるネジを取り外すことができず、その順序が逆になることはあり得ない。従って、中継ハーネスが接続されたまま、直にフロントカバーが取り外されることはなく、中継ハーネスやその接続部の損傷を防止することができるとともに、同様のネジを用いることにより組み立て性の向上を図ることができる。
【００１３】
さらに、本発明の空気調和機は、上記の空気調和機において、前記結合手段のネジは、該ネジを回す工具が入らない程度にその一部が前記ハーネスカバーから露出されていることを特徴とする。
【００１４】
本発明によれば、結合手段のネジが、該ネジを回す工具が入らない程度にその一部がハーネスカバーから露出されているため、フロントカバーを結合するネジの一部が、ハーネスカバーから露出されていても、該ネジを回す工具が入らないことから、ハーネスカバーを外す前に直にフロントカバーを結合しているネジが外されてフロントカバーが取り外されることはなく、従って、中継ハーネスが接続されたまま、行き成りフロントカバーが取り外されることによる中継ハーネスやその接続部の損傷を防止することができる。
【発明の効果】
【００１５】
本発明によると、メンテナンス等のためにフロントカバーをユニット本体から取り外すとき、直にフロントカバーの結合手段を取り外すことができず、先ず、第２結合手段を外してハーネスカバーを取り外し、それにより出現される中継ハーネスの接続部（コネクタ等）の取り外しを意識付けして該接続部を外した後、ハーネスカバーを取り外したことで出現されているフロントカバーの結合手段を外すことによって、フロントカバーを取り外すことができるため、中継ハーネスを接続したまま、フロントカバーを取り外してしまうことによる中継ハーネスやその接続部の損傷を防止することができ、しかもメンテナンス性を確保することができる。
【図面の簡単な説明】
【００１６】
【図１】本発明の一実施形態に係る空気調和機の外観斜視図である。
【図２】図１に示す空気調和機のフロントパネルを取り外した状態の右半部の正面図である。
【図３】図２に示す空気調和機のコントローラ設置部の拡大正面図である。
【図４】図３に示すコントローラ設置部のハーネスカバーを取り外した状態の拡大正面図である。
【発明を実施するための形態】
【００１７】
以下に、本発明の一実施形態について、図１ないし図４を参照して説明する。
図１には、本実施形態に係る空気調和機の外観斜視図が示され、図２には、そのフロントパネルを取り外した状態の右半部の正面図が示されている。ここでは、壁掛け型の空気調和機１が例示されている。
空気調和機１は、ユニット本体２と、このユニット本体２にその前方部位を上下、左右および前面から被うように取り付けられたフロントカバー３と、該フロントカバー３の前面に取り付けられたフロントパネル４とから構成されている横長長方形状の筐体５を備えている。
【００１８】
フロントカバー３の前面および上面には、略全面にわたって格子状の桟３Ａが設けられており、その上面には、吸込みグリル６が設けられ、下面の前方部位には、その略全幅にわたり温調された空気を室内に吹出すための空気吹出し口７が開口されている。空気吹出し口７には、風向を左右方向に変更する複数枚のルーバ（図示省略）と、風向を上下方向に変更するとともに、空気吹出し口７を閉鎖可能な左右に２分割されている上下各２枚の水平フラップ８が設けられている。これらのルーバおよび水平フラップ８は、図示省略のモータによって、それぞれ独立して回動されるように構成されている。
【００１９】
筐体５の内部には、フロントカバー３の前面および上面から下面前方部位の空気吹出し口７に至る空気流路が形成され、その空気流路中に上流側からエアフィルタ９、図示省略の室内熱交換器、室内ファンが順次配設されており、吸込みグリル６を介して吸込まれた室内空気は、エアフィルタ９を通過することによって塵埃が除去された後、室内熱交換器で冷却または加熱され、室内ファンを介して空気吹出し口７から室内に吹出されるようになっている。吸込み空気中の塵埃を除去するエアフィルタ９は、フロントカバー３の前面および上面の略全面を覆うように、フィルタガイド１０等に沿って設置されている。
【００２０】
また、エアフィルタ９は、筐体５内の前面側下部に設けられているフィルタガイドを介して上方にＵターンされ、更に前面側上部において前方側にガイドされ、フロントパネル４の背面に沿って下方にガイドされるようにフィルタ自動清掃機構１１の駆動ローラを介して移動可能に設置されている。フィルタ自動清掃機構１１は、エアフィルタ９をフィルタガイド１０に沿って移動させながら、エアフィルタ９で捕集された塵埃を回転ブラシにより掻き取って、ダストボックス１２に回収するように構成されたものであり、フロントカバー３の前面に組み込まれている。このフィルタ自動清掃機構１１としては、公知のものを用いることができる。
【００２１】
フロントカバー３は、ユニット本体２に対して複数本のネジ（結合手段）１３を介して結合され、一体化されている。このネジ１３の１つが、図４に示されている。フロントカバー３の一側部位（図示の例では、右側部位）は、ユニット本体２側に設けられているコントローラ１４（図４には、その一部が露出されている）および室内ファンモータ（図示省略）等の前面を覆うカバー部３Ｂとされている。このため、メンテナンス時などにコントローラ１４にアクセスする場合には、フロントカバー３の結合手段であるネジ（結合手段）１３を外して、フロントカバー３を取り外す必要があった。
【００２２】
一方、上記のフィルタ自動清掃機構１１には、エアフィルタ９を移動するローラや回転ブラシを駆動するモータ等の電装品が組み込まれており、該電装品を制御するため、図４に示されるように、コントローラ１４とフィルタ自動清掃機構１１の電装品とが中継ハーネス１５を介して接続されている。また、中継ハーネス１５は、例えばメンテナンス時にフロントカバー３を取り外すとき、フロントカバー３に組み込まれているフィルタ自動清掃機構１１の電装品と、ベース本体２に設けられているコントローラ１４との接続を切り離すことができるようにコネクタ（接続部）１６を介して接続されている。つまり、一方のコネクタ１６Ａがコントローラ１４側に接続され、他方のコネクタ１６Ｂが電装品側に接続された構成とされている。
【００２３】
さらに、中継ハーネス１５およびコネクタ１６は、フロントカバー３のカバー部３Ｂに設けられている開口部３Ｃ（図４参照）に面して配置されている。該開口部３Ｃは、図２および図３に示されるように、常時はネジ（第２結合手段）１８によりフロントカバー３に固定されているハーネスカバー１７を介して閉鎖されており、コネクタ１６を切り離す場合には、第２結合手段のネジ１８を外してハーネスカバー１７を取り外さなければならない構成とされている。このネジ１８は、フロントカバー３をユニット本体２に結合しているネジ１３と同様のネジとされ、互いに近接した位置に配置されている。
【００２４】
このため、ネジ（第２結合手段）１８を外してハーネスカバー１７を取り外し、コネクタ１６を切り離した後、ネジ（結合手段）１３を外し、フロントカバー３を取り外さなければならないにも拘らず、コネクタ１６を外し忘れ、直にネジ１３を外し、フロントカバー３を取り外してしまうことがあり、この場合、中継ハーネス１５およびコネクタ１６に無理な力がかかり、中継ハーネス１５やそれを接続しているコネクタ１６を損傷する虞があった。そこで、フロントカバー３を取り外さなければならないとき、中継ハーネス１５を接続しているコネクタ１６を外した後、ネジ１３を外し、フロントカバー３を取り外すという手順が踏めるように、以下の構成を採用している。
【００２５】
開口部３Ｃを閉鎖しているハーネスカバー１７の一部分に、突出部１７Ａを一体に形成し、該突出部１７Ａによりフロントカバー３をユニット本体２に結合しているネジ（結合手段）１３の一部または全部を隠蔽する構成としている。これによって、ハーネスカバー１７を外さずに、直にネジ（結合手段）１３を取り外すことができない構成とし、上記の手順、すなわち、第２結合手段のネジ１８を外してハーネスカバー１７を取り外し、コネクタ１６を切り離した後、ネジ１３を外し、フロントカバー３を取り外すという手順が踏めるようにしている。さらに、ネジ（結合手段）１３の一部のみを隠蔽する場合は、露出部分よりネジ１３を回す工具が入らない程度にネジ（結合手段）１３の一部を露出させるように構成している。
【００２６】
斯くして、本実施形態によれば、フロントカバー３側に装備されている電装品が、中継ハーネス１５を介してユニット本体２側のコントローラ１４に電気的に接続されている空気調和機１にあって、フロントカバー３に、その結合手段であるネジ１３の１つ近くで中継ハーネス１５の接続部（コネクタ１６）を覆うハーネスカバー１７が第２結合手段のネジ１８を介して固定設置されており、該ハーネスカバー１７によりフロントカバー３の結合手段であるネジ１３の１つが隠蔽され、直にフロントカバー３の結合手段であるネジ１３の１つを外すことができない構成とされている。
【００２７】
このため、ユニット本体２からフロントカバー３を取り外す際にも、直にフロントカバー３の結合手段（ネジ１３）を外すことはできず、先ず、第２結合手段のネジ１８を外してハーネスカバー１７を取り外し、それにより表面に出現される中継ハーネス１５のコネクタ１６（接続部）の取り外しを意識付けして該コネクタ１６を外した後、ハーネスカバー１７を取り外したことで出現されているフロントカバー３の結合手段であるネジ１３を外すことにより、フロントカバー３を取り外すことが可能となる。従って、中継ハーネス１５を接続したまま、フロントカバー３を取り外してしまうことによる中継ハーネス１５やその接続部であるコネクタ１６等の損傷を防止することができ、しかもメンテナンス性を確保することができる。
【００２８】
また、結合手段（ネジ１３）の一部が、ハーネスカバー１７から露出されているため、フロントカバー３の取り外しに先立って、第２結合手段のネジ１８を外してハーネスカバー１７を取り外す際、フロントカバー３の結合手段であるネジ１３の存在をその露出部により認識することができるので、結合手段のネジ１３の存在を予め意識しながら、ハーネスカバー１７、中継ハーネス１５の接続部（コネクタ１６）を順次外してフロントカバー３の結合手段であるネジ１３を取り外すように誘導することができる。従って、中継ハーネス１５の接続部（コネクタ１６）の外し忘れを防止することができるとともに、メンテナンス性を確保することができる。
【００２９】
さらに、フロントカバー３とユニット本体２との結合手段およびハーネスカバー１７を固着する第２結合手段が、共にネジ１３，１８とされている。この２つの結合手段が例え同じネジ１３，１８であったとしても、フロントカバー３の取り外しに際し、ハーネスカバー１７用の第２結合手段としてのネジ１８を外さない限り、フロントカバー３用の結合手段であるネジ１３を取り外すことができず、その順序が逆になることはあり得ない。従って、中継ハーネス１５が接続されたまま、直にフロントカバー３が取り外されることはなく、中継ハーネス１５やその接続部であるコネクタ１６等の損傷を防止することができるとともに、同様のネジ１３，１８を用いることによって組み立て性の向上を図ることができる。
【００３０】
また、フロントカバー３を結合している結合手段のネジ１３が、該ネジ１３を回す工具が入らない程度にその一部がハーネスカバー１７から露出されているので、フロントカバー３を結合するネジ１３の一部が、ハーネスカバー１７から露出されていても、該ネジ１３を回す工具が入らないことから、ハーネスカバー１７を外す前に、直にフロントカバー３を結合しているネジ１３が外されてフロントカバー３が取り外されることはなく、このため、中継ハーネス１５が接続されたまま、行き成りフロントカバー３が取り外されることによる中継ハーネス１５やその接続部であるコネクタ１６等の損傷を防止することができる。
【００３１】
なお、本発明は、上記実施形態にかかる発明に限定されるものではなく、その要旨を逸脱しない範囲において、適宜変形が可能である。例えば、上記実施形態では、フロントカバー３に装備される電装品として、フィルタ自動清掃機構１１の駆動モータの例について説明したが、該電装品には、フロントパネル４に組み込まれる運転状態表示機構等、他の補助機構用の電装品も含まれるものとする。つまり、本発明において、フロントカバー３に装備されている電装品とは、フロントカバー３に取り付けられているフロントパネル４等の他部品に装備されている電装品も含まれるものである。
【００３２】
また、上記実施形態では、壁掛け型の空気調和機１に適用した例について説明したが、これに限定されるものではなく、他型式の空気調和機にも同様に適用できることは云うまでもない。さらに、フロントカバー３をユニット本体２に結合する結合手段およびハーネスカバー１７を固定する第２結合手段に、それぞれネジ１３，１８を用いた例について説明したが、結合手段としては、ネジ１３，１８以外の手段を用いてもよく、また、２つの結合手段がそれぞれ異なる結合手段であってもよい。
【符号の説明】
【００３３】
１  空気調和機
２  ユニット本体
３  フロントカバー
４  フロントパネル
１３  ネジ（結合手段）
１４  コントローラ
１５  中継ハーネス
１６  コネクタ（接続部）
１７  ハーネスカバー
１７Ａ  突出部
１８  ネジ（第２結合手段）
【図１】
0005489901.tif 000002
【図２】
0005489901.tif 000003
【図３】
0005489901.tif 000004
【図４】
0005489901.tif 000005